(57)【特許請求の範囲】
【請求項１】
本体筐体の上面と前面とに吸込口を備え、前面下部に吹出口を備え、前記吸込口を開閉する開閉パネルを備えるとともに、同開閉パネルで前記吸込口を開閉する開閉機構を備えた空気調和機であって、
前記開閉機構は、前記本体筐体に設けられた駆動部と、同駆動部にギヤ部を介して連係するシャフトを有し、前記ギヤ部に連係された前記駆動部の駆動力により前記開閉パネルを前記吸込口が開閉するように移動させる移動手段とを備えてなり、
前記移動手段は、前記シャフトの断面形状と同一形状の孔を有し前記シャフトが挿通されるとともに前記シャフトの回転にともなって回動する筒部と同筒部の軸線方向に直交する同一直線上の反対方向にそれぞれ突設され、一方の先端に第一枢支部を有する第一アームと他方の先端に第二枢支部を有する第二アームとを備えた十字リンクと、同十字リンクの第一枢支部に一端が枢支され、前記開閉パネルに備えた第三枢支部に他端が枢支される第一リンクと、前記十字リンクの第二枢支部に一端が枢支され他端に第四枢支部を備えて前記第一リンクと交差する第二リンクと、前記前面パネルに備えた第五枢支部に一端が枢支され前記開閉パネルに備えた第六枢支部に他端が枢支されるとともに両端間に前記第二リンクの前記第四枢支部を枢支した第三リンクとを備え、
前記第二リンクには、前記第一リンクを挿通する挿通部が形成されると共に、
前記開閉パネルは、前記十字リンクを回動することにより縦方向にし前記第一枢支部を上に前記第二枢支部を下に位置させて前記吸込口を閉じ、前記十字リンクを回動することにより前記第一枢支部を下に、前記第二枢支部を上に位置させ前記吸込口を開放することを特徴とする空気調和機。
【請求項２】
前記十字リンクの第一アームまたは第二アームは何れか一方の幅寸法が大きく形成されたことを特徴とする請求項１に記載の空気調和機。
【請求項３】
前記第一リンクは、前記開閉パネルが前記吸込口を閉じた時に前記十字リンクを収納する第一湾曲部が形成され、前記二リンクは、前記開閉パネルが前記吸込口を開放した時に前記十字リンクを収納する第二湾曲部が形成されたことを特徴とする請求項１乃至請求項２に記載の空気調和機。
【発明の詳細な説明】
【技術分野】
【０００１】
本発明は、空気調和機に関わり、より詳細には、前面パネルに備えた吸込口を開閉する開閉パネルの開閉機構に関する。
【背景技術】
【０００２】
従来の開閉パネルの開閉機構として、図４に示すように、開閉パネル１０２が前面パネル１００に備えた吸込口１０１を閉じた状態において、開閉アーム１０４および補助アーム１０５と、付勢ばね１０６とが互いに平行に設けられた構成であって、開閉アーム１０４には連結アーム１０７が連結された構成になっていた。
【０００３】
付勢ばね１０６は、一端が前面パネル１００に取り付けられ、他端が補助アーム１０５に取り付けられることによって、開閉パネル１０２を前方であって上方に移動させることで吸込口１０１を開放する際、補助アーム１０５を回動させて開閉パネル１０２を付勢するための引っ張り力が作用する構成になっていた（例えば、特許文献１参照）。
【０００４】
しかしながら、開閉パネル１０２を移動させて吸込口１０１を開放するための構成として、開閉パネル１０２を付勢する付勢ばね１０６が必要になり、また、付勢ばね１０６を組み付ける工数も必要になることから、コスト的に不利になってしまうという問題点を有していた。
【先行技術文献】
【特許文献】
【０００５】
【特許文献１】特開２００６−２０７８８９号公報
【発明の概要】
【発明が解決しようとする課題】
【０００６】
本発明は、上記問題点に鑑み、付勢ばねを用いることなく、開閉パネルを移動させて吸込口を開放できるようにした空気調和機を提供することを目的とする。
【課題を解決するための手段】
【０００７】
上述した目的を達成できるように構成するため、本発明は以下に示す特徴を備えている。
【０００８】
本体筐体の上面上部に吸込口を備え、前面下部に吹出口を備え、前記吸込口を開閉する開閉パネルを備えるとともに、同開閉パネルで前記吸込口を開閉する開閉機構を備えた空気調和機であって、
前記開閉機構は、前記本体筐体に設けられた駆動部と、同駆動部にギヤ部を介して連係するシャフトを有し、前記ギヤ部に連係された前記駆動部の駆動力により前記開閉パネルを前記吸込口が開閉するように移動させる移動手段とを備えてなり、
前記移動手段は、前記シャフトの断面形状と同一形状の孔を有し前記シャフトが挿通されるとともに前記シャフトの回転にともなって回動する筒部と同筒部の軸線方向に直交する同一直線上の反対方向にそれぞれ突設され、一方の先端に第一枢支部を有する第一アームと他方の先端に第二枢支部を有する第二アームとを備えた十字リンクと、同十字リンクの第一枢支部に一端が枢支され、前記開閉パネルに備えた第三枢支部に他端が枢支される第一リンクと、前記十字リンクの第二枢支部に一端が枢支され他端に第四枢支部を備えて前記第一リンクと交差する第二リンクと、前記前面パネルに備えた第五枢支部に一端が枢支され前記開閉パネルに備えた第六枢支部に他端が枢支されるとともに両端間に前記第二リンクの前記第四枢支部を枢支した第三リンクとを備え、
前記開閉パネルは、前記十字リンクを回動することにより縦方向にし前記第一枢支部を上に前記第二枢支部を下に位置させて前記吸込口を閉じ、前記十字リンクを回動することにより前記第一枢支部を下に、前記第二枢支部を上に位置させ前記吸込口を開放することを特徴としている。
【０００９】
また、前記十字リンクの第一アームまたは第二アームは何れか一方の幅寸法が大きく形成されたことを特徴としている。
【００１０】
また、前記第二リンクは、前記第一リンクを挿通する挿通部が形成されたことを特徴としている。
【００１１】
また、前記第一リンクは、前記開閉パネルが前記吸込口を閉じた時に前記十字リンクを収納する第一湾曲部が形成され、前記二リンクは、前記開閉パネルが前記吸込口を開放した時に前記十字リンクを収納する第二湾曲部が形成されたことを特徴としている。
【発明の効果】
【００１２】
本発明によれば、付勢ばねを用いることなく、開閉パネルを移動させて吸込口を開放できるようにした空気調和機を提供できる。
【図面の簡単な説明】
【００１３】
【図１】本発明による空気調和機の説明図で、（Ａ）は開閉パネルを前方に移動して吸込口を開放した状態を示す斜視図であり、（Ｂ）はグリル部を上方に回動して前部を開放した状態を示す斜視図である。
【図２】本発明による空気調和機の断面図で、（Ａ）は開閉パネルで吸込口を閉じた状態における図１（Ａ）の断面Ａ−Ａを示し、（Ｂ）は吸込口を開放した状態における図１（Ａ）の断面Ａ−Ａを示す。
【図３】本発明による空気調和機の要部説明図で、（Ａ）は開閉パネルで吸込口を閉じた状態におけるギヤ部およびリンク機構の組立斜視図であり、（Ｂ）は吸込口を開放した状態におけるギヤ部およびリンク機構の分解斜視図であり、（Ｃ）は吸込口を開放した状態におけるギヤ部およびリンク機構の組立斜視図である。
【図４】従来例による空気調和機の要部断面図である。
【発明を実施するための形態】
【００１４】
以下、本発明の実施の形態を、添付図面に基づいた実施例として詳細に説明する。
【００１５】
以下、本発明を実施するための形態を、添付図面に基づいて詳細に説明する。実施例としては、一般的な家屋やマンションの各部屋に設置される空気調和機の室内機を例に挙げて説明することとする。尚、本発明は以下の実施形態に限定されることはなく、本発明の主旨を逸脱しない範囲で種々変形することが可能である。
【実施例】
【００１６】
図１は、本発明による空気調和機の室内機１００の外観図である。室内機１００は、横長の略直方体形状の本体筺体である室内機本体１を有しており、図１および図２に示すように、室内機本体１の上部および前部１ａには吸込口１０が設けられている。また、前部１ａの下部には、吹出口１１が設けられている。
【００１７】
吸込口１０は、前面１ａの開口部として形成されている。この前部１ａおよび吸込口１０の前方には、ＡＳ材やＰＳ材等の樹脂材で略四方形状に形成され、前部１ａおよび吸込口１０の前方を覆うように配置される前面パネル２ｂが設けられている。前面パネル２ｂの前方には、ＡＳ材やＰＳ材等の樹脂材で略四方形状に形成され、前面パネル２ｂの一部を覆うように配置されて室内機１００の意匠面を形成する開閉パネル２ａが設けられている。この開閉パネル２ａと前面パネル２ｂとでグリル部２が構成される。
【００１８】
図２に示すように、室内機本体１の内部における、吸込口１０と吹出口１１とを結ぶ空気通路には、吸込口１０から室内空気を吸い込み、吹出口１１から吹出すための送風ファン６が設けられており、また、送風ファン６を囲むように三つ折りの熱交換器５が配置されている。熱交換器５や送風ファン６は、室内機本体１の一部を構成し、室内機１００を被空調室の壁面に取り付けるためのベース３に固定されている。尚、ベース３の一部は、後方の熱交換器５で生成された凝縮水を受けるドレンパン３ａを兼ねている。
【００１９】
吹出口１１は、ベース３の下部と前面パネル１ａに取り付けられたケーシング７の下面とで形成されており、吹出口１１には、吹出口１１から吹出される空気を上下方向に偏向する上下風向板８が設けられている。また、上下風向板８の風上側には、吹出口１１から吹出される空気を左右方向に偏向する図示しない左右風向板が設けられている。尚、ケーシング７の上面は、前方の熱交換器５で生成された凝縮水を受けるドレンパン７ａとなっている。
【００２０】
上面および吸込口１０と熱交換器５との間には、吸込口１０から吸い込んだ室内空気に含まれる塵埃を除去するための図１（Ｂ）に示すフィルタ４が設置されている。フィルタ４は、室内機本体１に着脱可能に装着されており、室内機本体１の前部１ａから着脱することができる。尚、フィルタ４を室内機本体１から外せば、室内機本体１の前部１ａから前方の熱交換器５を臨むことができる（図１（Ｂ）において、フィルタ４が存在する箇所から前面側の熱交換器５が見える）。
【００２１】
室内機１００の運転を行うときは、図１（Ａ）に示すように、グリル部２の開閉パネル２ａのみが、後述する移動手段によって室内機本体１の前方に移動する。これにより、吸込口１０から多量の室内空気が吸い込めるので、熱交換器５における冷媒と室内空気との熱交換量を増やして熱交換効率を向上させることができる。
【００２２】
また、図１（Ｂ）に示すように、開閉パネル２ａおよび前面パネル２ｂからなるグリル部２は、後述する開閉手段によってグリル部２の下方を室内機本体１の上方に回動させることによって開くことができる。これにより、室内機１００の停止中に、フィルタ４の清掃および脱着、熱交換器５の洗浄等のメンテナンス作業が行いやすくなる。
【００２３】
次に、本実施例の室内機１００における、室内機１００運転中の開閉パネル２ａの移動動作および室内機１００停止中のグリル部２の回動動作について説明する。図１および図２に示すように、グリル部２の内面側（室内機本体１の前部１ａに対向する面）には、図２に示すように、吸込口１０を開閉する開閉パネル２ａを移動させるためのモータギヤを有する駆動モータからなる駆動部３０と、グリル部２を回動するための回動手段の一部をなすヒンジ部材２０とが設けられている。
【００２４】
駆動部３０は、開閉パネル２ａで吸込口１０を開閉するための合成樹脂製のリンク機構６０を有する開閉機構に連係している。この開閉機構は、駆動部３０のモータギヤとかみ合うギヤ部４０が連係するシャフト５０を有し、ギヤ部４０に連係された駆動部３０の駆動力により、開閉パネル２ａを吸込口１０が開閉するように移動させるためのリンク機構６０からなる移動手段とを備えている。
【００２５】
図２および図３に示すリンク機構６０からなる移動手段は、開閉パネル２ａおよび前面パネル２ｂの左右両側に設けられており（図では右側のリンク機構を示している）、シャフト５０の断面形状と同一形状の孔６０１ａを有しシャフト５０が挿通されえるとともにシャフト５０の回転にともなって回動する筒部６０１と筒部６０１の軸線方向に直交する同一直線上の反対方向にそれぞれ突設され一方の先端に第一枢支部６０２を有する第一アーム６０３と他方の先端に第二枢支部６０４を有する第二アーム６０５とを備えた十字リンク６０６と、十字リンク６０６の第一枢支部６０２に一端が枢支され開閉パネル２ａに備えた第三枢支部６０７に他端が枢支される第一リンク６０８と、十字リンク６０６の第二枢支部６０４に一端が枢支され他端に第四枢支部６０９を備えて第一リンク６０８と交差する第二リンク６１０と、前面パネル２ｂに備えた第五枢支部６１１に一端が枢支され開閉パネル２ａに備えた第六枢支部６１２に他端が枢支されるとともに両端間に第二リンク６１０の第四枢支部６０９を枢支した第三リンク６１３とを備えている。
【００２６】
第一リンク６０８は棒状に形成され、一端に十字リンク６０６に備えた凸状の第一枢支部６０２を挟持することにより枢支される枢支穴６０８ａを備え、他端に開閉パネル２ａに備えた枢支穴からなる第三枢支部６０７に枢支される凸状の枢支部６０８ｂを備えている。
【００２７】
第二リンク６１０は棒状に形成され、一端に十字リンク６０６に備えた凸状の第二枢支部６０４を挟持することにより枢支される枢支穴６１０ａを備え、他端に第三リンク６１３に備えた枢支孔からなる第七枢支部６１３ｃに枢支される凸状の第四枢支部６０９を備えている。
【００２８】
第三リンク６１３は、一端に前面パネル２ｂに備えた凸状の第五枢支部６１１を挟持することにより枢支される枢支部６１３ａを備え、他端に開閉パネル２ａに備えた枢支穴からなる第六枢支部６１２に枢支される凸状の第四枢支部６１３ｂが備えられている。
これら第一リンク６０８、第二リンク６１０および第三リンク６１３が組み合わされてリンク機構６０を構成している。
【００２９】
シャフト５０は、断面がＤ字形状（所謂、Ｄカット）とされた棒状の鉄材またはアルミ合金等の金属材であり、一端がギヤ部４０に固定され、他端が後述するヒンジ部材２０のシャフト軸受部２４で前面パネル２ｂに回動自在に装着されている。なお、シャフト５０の断面形状はＤ字形状に限らず、両側の十字リンク６０６に駆動モータ３０の駆動力が伝わればよいため、断面多角形状あるいは断面楕円形状であってもよい。
【００３０】
上記リンク機構６０の構成により、開閉パネル２ａは、十字リンク６０６が回動されることにより縦方向になり第一枢支部６０２を上に、第二枢支部６０４が下になるように位置させることで吸込口１０を閉じ、十字リンク６０６が回動されることにより第一枢支部６０２を下に、第二枢支部６０４が上になるように位置させることで吸込口１０を開放する。
【００３１】
十字リンク６０６を縦方向にして第一枢支部６０２と第二枢支部６０４とを上下に位置させることにより、開閉パネル２ａによる負荷とシャフト５０の駆動力の伝達に伴う応力などによって左右の十字リンク６０６に生じるブレにより、リンク機構６０に接続されている開閉パネル２ａの両側部の上下の位置ずれを小さくできる。
【００３２】
また、十字リンク６０６と、十字リンク６０６の第１枢支部６０２に枢支された第一リンク６０８の第一湾曲部６０８ｃおよび第２枢支部６０４に枢支された第二リンク６１０の第二湾曲部６１０ｃを収納するため、前面パネル２ｂの本体筐体側に向けて膨出するスペースＹ（図２参照）を設けている。十字リンク６０６を縦方向にした状態が、十字リンク６０６と、十字リンク６０６の第１枢支部６０２に枢支された第一リンク６０８の第一湾曲部６０８ｃおよび第２枢支部６０４に枢支された第二リンク６１０の第二湾曲部６１０ｃの前後方向の幅が最も小さいため、スペースＹの奥行き量を抑えることができて室内機本体１の前後方向の寸法の大型化を抑えることができる。
【００３３】
その際、十字リンク６０６を回動させて第一枢支部６０２と第二枢支部６０４とを上下反転させ、第一枢支部６０２に枢支された第一アーム６０３と、第二枢支部６０４に枢支され第一アーム６０３と交差させた第二アーム６０５と、第四枢支部６０９に枢支された第三アーム６１３とを同時に連動させることで、開閉パネル２ａを円滑に移動させることができる。
【００３４】
そのため、図４に基づいて上述した背景技術のように付勢ばね１０６を用いることなく、開閉パネル２ａを円滑に移動させることができるようになって、吸込口１０を開閉パネル２ａで正確に開閉できるようになる。
【００３５】
また、十字リンク６０６の第一アーム６０３または第二アーム６０５は、何れか一方の幅寸法が大きく形成されている。これにより、第一枢支部６０２の両側部を挟持した状態で第一リンク６０８の一端が枢支されることから、幅寸法が異なる第二リンク６１０の一端を枢支してしまう間違いをなくし、同様に、第二枢支部６０４の両側部を挟持した状態で第二リンク６１０の一端が枢支されることから、幅寸法が異なる第一リンク６０８の一端を枢支してしまう間違いをなくすことができる。
【００３６】
また、第二リンク６１０は、第一リンク６０８を挿通する挿通部６１４が形成されたことで、この挿通部６１４に挿通させた第一リンク６０８を、第二リンク６１０に対して容易に交差させることができる。
【００３７】
また、第一リンク６０８は、図３（Ａ）に示すように開閉パネル２ａが吸込口１０を閉じた時に十字リンク６０６を収納する第一湾曲部６０８ｃが形成され、第二リンク６１０は、図３（Ｂ）に示すように開閉パネル２ａが吸込口１０を開放した時に十字リンク６０６を収納する第二湾曲部６１０ｃが形成されている。
【００３８】
これにより、開閉パネル２ａが吸込口１０を閉じた際、第一湾曲部６０８ｃに、第一枢支部６０２と第二枢支部６０４とを含む十字リンク６０６を収納でき、また、開閉パネル２ａが吸込口１０を開放した際、第二湾曲部６１０ｃに、第一枢支部６０２と第二枢支部６０４とを含む十字リンク６０６を収納できることで、第一アーム６０３および第二アーム６０５の長さを短く形成して、十字リンク６０６の小型化を図れるようになる。
【００３９】
室内機１００を運転するときは、モータギヤを有する駆動モータからなる駆動部３０のモータギヤに噛み合ったギヤ部４０が回転することで、ギヤ部４０に接続されているシャフト５０が回転し、シャフト５０の回転に応じて、上述したようにリンク機構６０が駆動して開閉パネル２ａを室内機本体１００の前方へ移動させる。
【００４０】
また、室内機本体１００を停止させてフィルタ４の脱着や清掃等のメンテナンス作業を行いたい場合に、グリル部２の下方を室内機本体１の前部１ａから外して、支軸部１２を回転中心にして上方に回動させることで、図１（Ｂ）に示すように前部１ａを大きく開放できるようになる。
【００４１】
以上説明したように、本発明の構成によれば、開閉パネル２ａは、リンク機構６０を構成する十字リンク６０６が回動されることにより縦方向になり第一枢支部６０２が上に、第二枢支部６０４が下になるように位置させることで吸込口１０を閉じ、十字リンク６０６が回動されることにより第一枢支部６０２が下に、第二枢支部６０４が上になるように位置させることで吸込口１０を開放することになるため、付勢ばねを用いることなく、開閉パネル２ａを移動させることで吸込口１０を開放できるようにした空気調和機となる。
【符号の説明】
【００４２】
１  室内機本体
２  グリル部
２ａ  開閉パネル
２ｂ  前面パネル
４  フィルタ
５  熱交換器
６  送風ファン
１０  吸込口
１１  吹出口
１２  支軸部
３０  駆動部
４０  ギヤ部
５０  シャフト
６０  リンク機構
６０１  筒部
６０２  第一枢支部
６０３  第一アーム
６０４  第二枢支部
６０５  第二アーム
６０６  十字リンク
６０７  第三枢支部
６０８  第一リンク
６０８ａ  枢支穴
６０８ｂ  枢支部
６０８ｃ  第一湾曲部
６０９  第四枢支部
６１０  第二リンク
６１０ａ  枢支穴
６１０ｂ  枢支部
６１０ｃ  第二湾曲部
６１１  第五枢支部
６１２  第六枢支部
６１３  第三リンク
６１３ａ  枢支部
６１３ｂ  第四枢支部
６１３ｃ  第七枢支部
６１４  挿通部
１００  室内機
【図１】
0005927884.tif 000002
【図２】
0005927884.tif 000003
【図３】
0005927884.tif 000004
【図４】
0005927884.tif 000005